(57)【要約】【課題】システム側とモニタ候補者側との間で評価試験日程の摺り合わせを簡易且つ迅速に行うことができる。【解決手段】ウェブサーバは、モニタ候補者が使用するクライアントＰＣからの要求に応じて、予めシステム側で設定された評価試験の候補日程を一覧表示する日程一覧表示欄８４とモニタ候補者がその候補日程の中から希望する日程を入力する希望日程入力欄８３とを同一ページに表示するモニタ協力回答用紙をクライアントＰＣに送信し、モニタ候補者が希望日程入力欄８３に入力した内容をクライアントＰＣから受信する。この結果、モニタ候補者は同一ページ上で評価試験の候補日程の一覧を見ながら自分の希望する候補日程を容易に決定し入力することができる。また、システム側ではシステム側とモニタ候補者側との摺り合わせを簡易且つ迅速に行うことができる。【選択図】　　　　図７
2004145803.tif 000002
【特許請求の範囲】
【請求項１】
所定製品の評価を依頼するモニタをモニタ候補者の中から選出する際に利用されるモニタ選出支援システムであって、
モニタ候補者が使用するクライアントコンピュータからの要求に応じて、予めシステム側で設定された評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するデータ送信手段と、
前記モニタ候補者が前記希望日程入力欄に入力した内容を電子データとして前記クライアントコンピュータから受信するデータ受信手段と
を備えたモニタ選出支援システム。
【請求項２】
所定製品の評価を依頼するモニタをモニタ候補者の中から選出する際に利用されるモニタ選出支援システムであって、
モニタ候補者が使用するクライアントコンピュータから評価試験を特定する評価コードを含む候補日程取得要求を受信したとき、前記評価コードに対応する評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するデータ送信手段と、前記モニタ候補者が前記希望日程入力欄に入力した内容を電子データとして前記クライアントコンピュータから受信するデータ受信手段と
を備えたモニタ選出支援システム。
【請求項３】
請求項１又は２に記載のモニタ選出支援システムであって、
前記日程一覧表示欄と前記希望日程入力欄とは隣接して設けられている
モニタ選出支援システム。
【請求項４】
請求項１〜３のいずれかに記載のモニタ選出支援システムであって、
前記評価試験の候補日程には、前記評価試験を行う場所と日時とが含まれる
モニタ選出支援システム。
【請求項５】
請求項４に記載のモニタ選出支援システムであって、
前記日程一覧表示欄には、各候補日程が前記評価試験の場所及び日時を一組として一行ごとに改行して表示される
モニタ選出支援システム。
【請求項６】
請求項４又は５に記載のモニタ選出支援システムであって、前記希望日程入力欄は場所入力欄と日時入力欄とを個別に有し、前記日時入力欄は前記場所入力欄に入力された場所に応じた１以上の候補日時を選択可能な状態でメニュー表示させるメニュー表示要求部を有する
モニタ選出支援システム。
【請求項７】
請求項１〜６のいずれかに記載のモニタ選出支援システムであって、
前記希望日程入力欄は少なくとも第１希望と第２希望とを入力可能である
モニタ選出支援システム。
【請求項８】
所定製品の評価を依頼するモニタをモニタ候補者の中から選出する際に利用されるモニタ選出支援方法であって、
（ａ）モニタ候補者が使用するクライアントコンピュータからの要求に応じて、予めシステム側で設定された評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するステップと、
（ｂ）前記モニタ候補者が前記希望日程入力欄に入力した内容を電子データとして前記クライアントコンピュータから受信するステップと
を含むモニタ選出支援方法。
【請求項９】
請求項８に記載のモニタ選出支援方法の各ステップをコンピュータに実行させるためのプログラム。
【発明の詳細な説明】
【０００１】
【発明の属する技術分野】
本発明は、所定製品の評価を依頼するモニタをモニタ候補者の中から選出する際に利用されるモニタ選出支援システム、その方法及びそのプログラムに関する。
【０００２】
【従来の技術】
従来より、新製品を開発する過程において、その製品の評価を行うモニタを募集し、応募してきた者の中からモニタを選出し、実際にモニタがその製品の評価を行い、その評価結果に基づいてその製品に対し更なる改良を加えるといった手法が採られることがある。特許文献１では、このような手法の問題点として、その製品を必要としない者がモニタになってその製品の評価を行ったとしても有意義な評価がなされない点を捉え、モニタ募集サーバが開設するウェブサイトで製品の内容・価格・モニタ条件を表示し、その製品に興味を持った者にそのウェブサイトで製品を購入してもらいモニタになってもらうという提案がなされている。
【０００３】
【特許文献１】
特開平１４−９９７０２
【０００４】
【発明が解決しようとする課題】
上述の特許文献１では、各消費者ごとに購入する時期が異なることから製品の評価が下される時期がバラバラとなり、製品の評価を集計するのにかなりの期間を見込んでおく必要がある。一方、製品の評価を迅速に集計するには、予めモニタを募集する側が設定した評価試験の候補日程のうちモニタ候補者が自分の希望する候補日程を選択することにより評価試験の日程の摺り合わせを行うことが一案として考えられる。
【０００５】
しかしながら、モニタを募集する側とモニタ候補者との間で何度も連絡を取り合いながら評価試験の日程の摺り合わせを行うのでは、日程調整が煩雑化しその日程調整に時間がかかってしまうという問題がある。
【０００６】
本発明は、このような課題に鑑みなされたものであり、システム側とモニタ候補者側との間で評価試験日程の摺り合わせを簡易且つ迅速に行うことができるモニタ選出支援システム、その方法及びそのプログラムを提供することを目的の一つとする。また、モニタ候補者が評価試験の候補日程の中から自分の希望する日程を容易に選択できるモニタ選出支援システム、その方法及びそのプログラムを提供することを目的の一つとする。
【０００７】
【課題を解決するための手段及びその作用・効果】
上述の目的の少なくとも一つを達成するため、本発明の第１は、所定製品の評価を依頼するモニタをモニタ候補者の中から選出する際に利用されるモニタ選出支援システムであって、
モニタ候補者が使用するクライアントコンピュータからの要求に応じて、予めシステム側で設定された評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するデータ送信手段と、
前記モニタ候補者が前記希望日程入力欄に入力した内容を電子データとして前記クライアントコンピュータから受信するデータ受信手段と
を備えたものである。
【０００８】
このモニタ選出支援システムでは、評価試験の候補日程の一覧とその中から希望する候補日程を入力する入力欄とを同じページに表示する電子データをクライアントコンピュータに送信するため、そのクライアントコンピュータを使用するモニタ候補者は同一ページ上で評価試験の候補日程の一覧を見ながら自分の希望する候補日程を容易に決定し入力することができる。また、モニタ選出支援システムは、モニタ候補者が希望する候補日程を受信して評価試験の日程につきシステム側とモニタ候補者側との摺り合わせを簡易且つ迅速に行うことができる。
【０００９】
本発明は、所定製品の評価を依頼するモニタをモニタ候補者の中から選出する際に利用されるモニタ選出支援システムであって、
モニタ候補者が使用するクライアントコンピュータから評価試験を特定する評価コードを含む候補日程取得要求を受信したとき、前記評価コードに対応する評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するデータ送信手段と、前記モニタ候補者が前記希望日程入力欄に入力した内容を電子データとして前記クライアントコンピュータから受信するデータ受信手段と
を備えたものであってもよい。
【００１０】
このモニタ選出支援システムでは、上述のモニタ選出支援システムと同様、クライアントコンピュータを使用するモニタ候補者は同一ページ上で評価試験の候補日程の一覧を見ながら自分の希望する候補日程を容易に決定し入力することができ、また、評価試験の日程につきシステム側とモニタ候補者側との摺り合わせを行うことができる。加えて、評価コードによってどの評価試験かを容易に特定できるため、その特定された評価試験についての候補日程を一覧表示することができ、複数の評価試験の候補日程の一覧が表示される場合に比べてモニタ候補者が別の評価試験の日程と混同するおそれがない。
【００１１】
本発明のモニタ選出支援システムにおいて、前記日程一覧表示欄と前記希望日程入力欄とは隣接して設けられていてもよい。こうすれば、日程一覧表示欄と希望日程入力欄とが同一ページの隣接しない位置に設けられている場合に比べて、希望日程を入力する際に日程一覧表示欄を参照にしやすい。
【００１２】
本発明のモニタ選出システムにおいて、前記評価試験の候補日程には、前記評価試験を行う場所と日時とが含まれていてもよい。この場合、評価試験の候補日程に日時だけ含まれている場合に比べてシステム側とモニタ候補者側との摺り合わせが困難になりやすいが、そのような場合にも本発明は適している。
【００１３】
本発明のモニタ選出支援システムにおいて、前記日程一覧表示欄には、各候補日程が前記評価試験の場所及び日時を一組として一行ごと改行して表示されてもよい。こうすれば、モニタ候補者が日程一覧表示欄を見たときに、複数の候補日程が一行に連なって表示される場合に比べて各候補日程を確実に見分けることができる。
【００１４】
本発明のモニタ選出支援システムにおいて、前記評価試験の日程に評価試験を行う場所と日時とが含まれている場合、前記希望日程入力欄は場所入力欄と日時入力欄とを個別に有し、前記日時入力欄は前記場所入力欄に入力された場所に応じた１以上の候補日時を選択可能な状態でメニュー表示させるメニュー表示要求部を有していてもよい。こうすれば、モニタ候補者は日程一覧表示欄を見て評価試験の場所と日時の組合せのうち自分にあった組合せを見つけそのうちの場所を場所入力欄に入力したあと、その場所に応じた日時をメニュー表示させて選択すれば日時入力欄に簡単且つ間違えることなく入力することができる。
【００１５】
本発明のモニタ選出支援システムにおいて、前記希望日程入力欄は少なくとも第１希望と第２希望とを入力可能としてもよい。こうすれば、評価試験の日程の摺り合わせにつき第１希望でうまくいかなかったとしても第２希望でうまくいく場合があり、摺り合わせを短期間で効率よく行うことができる。なお、第３希望以降についても入力可能としてもよい。
【００１６】
本発明の第２は、所定製品の評価を依頼するモニタをモニタ候補者の中から選出する際に利用されるモニタ選出支援方法であって、
（ａ）モニタ候補者が使用するクライアントコンピュータからの要求に応じて、予めシステム側で設定された評価試験の候補日程を一覧表示する日程一覧表示欄と前記モニタ候補者が前記候補日程の中から希望する候補日程を入力する希望日程入力欄とを同一ページに表示する電子データを前記クライアントコンピュータに送信するステップと、
（ｂ）前記モニタ候補者が前記希望日程入力欄に入力した内容を電子データとして前記クライアントコンピュータから受信するステップと
を含むものである。
【００１７】
このモニタ選出支援方法では、評価試験の候補日程の一覧とその中から希望する候補日程を入力する入力欄とを同じページに表示する電子データをクライアントコンピュータに送信するため、そのクライアントコンピュータを使用するモニタ候補者は同一ページ上で評価試験の候補日程の一覧を見ながら自分の希望する候補日程を容易に決定し入力することができる。また、モニタ選出支援システムは、モニタ候補者が希望する候補日程を受信して評価試験の日程につきシステム側とモニタ候補者側との摺り合わせを簡易且つ迅速に行うことができる。
【００１８】
本発明の第３は、上述したモニタ選出支援方法の各ステップを１又は複数のコンピュータに実行させるためのプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを１台のコンピュータに実行させるか複数台のコンピュータに分担させて実行させれば、コンピュータは上述のモニタ選出支援方法の各ステップを実行するため、上述のモニタ選出支援方法と同様の作用効果が得られる。
【００１９】
【発明の実施の形態】
次に、本発明の実施の形態を図面に基づいて説明する。図１は本実施形態のモニタ選出支援システムの概略構成を表す説明図、図２は評価試験一覧テーブルの説明図である。
【００２０】
本実施形態のモニタ選出支援システム１０は、会社内に設置されたネットワークシステムであって、オペレータが使用するパーソナルコンピュータ１２（以下、オペレータＰＣ１２という）と、データベースサーバ１３と、ウェブサーバ１４と、メールサーバ１６とで構成され、これらはネットワークケーブル２０を介して通信可能に接続されると共にイントラネット２２を介して社員が利用する複数のクライアントのパーソナルコンピュータ４０（以下、クライアントＰＣ４０という）に接続されている。
【００２１】
オペレータＰＣ１２は、周知のＣＰＵ１２ａ、ＲＯＭ１２ｂ、ＲＡＭ１２ｃ、ＨＤＤ（ハードディスクドライブ）１２ｄなどを含んで構成され、これらが図示しないバスを介して信号のやり取りが可能なように接続されている。また、ＣＰＵ１２ａは、オペレータによりキーボード１２ｆやマウス１２ｇを介して図示しない入出力ポート経由で入力した各種情報に応じて、ＨＤＤ１２ｄから所定のプログラムを読み出し、ＲＡＭ１２ｃに一時的にデータを記憶しつつそのプログラムを実行したりディスプレイ１２ｅに表示出力したりする。本実施形態では、このオペレータＰＣ１２がオペレータごとに設置されている。
【００２２】
データベースサーバ１３は、各種の参照テーブルを記憶している。具体的には、参照テーブルの一つとして、図２に示すように、評価試験ごとに付与される評価コードがその評価試験の対象となる評価対象製品やその評価試験を主催する主催部門やその評価試験を担当する担当者やその評価試験を実施する候補日程群などに対応付けられた評価試験一覧テーブルを記憶している。ここで、評価コードは、所定のルールにしたがってオペレータが評価試験ごとに付与する固有のコードであり、本実施形態では評価試験実施場所を表すアルファベットと、評価試験を実施する西暦年度の下２桁と、２桁のシリアル番号とで構成されている。評価対象製品は、今回の評価試験が実施される対象の製品であり、主催部門は、評価試験を主催する部門であり、担当者名は、評価試験を担当するオペレータの氏名であり、候補日程群は、評価試験を実施する場所と日付と時間とを一組とする候補日程を複数含む群であり評価実施日程候補情報ともいう。
【００２３】
ウェブサーバ１４は、モニタ協力回答用紙を提供するウェブサイトを開設するサーバである。ここで、モニタ協力回答用紙は、モニタ候補者が製品の評価を行うモニタとして協力しようとする際に利用されるものであり、評価試験の実施場所や実施日時の摺り合わせをシステム側とモニタ候補者側との間で行うのに必要な情報を書き込むための用紙である。このウェブサーバ１４は、イントラネット２２を介して通信可能に接続されたクライアントＰＣ４０の要求窓口となるサーバであり、クライアントＰＣ４０から受信した要求内容に応じて自ら応答内容を作成してクライアントＰＣ４０へ送信したり、データベースサーバ１３に応答内容の一部又は全部を作成させてクライアントＰＣ４０へ送信したりする機能を有している。
【００２４】
メールサーバ１６は、イントラネット２２を介して電子メールを送受信する機能を有しており、送信メールを相手に届けるためのＳＭＴＰサーバとしての機能と、受信メールをそのメールの送信先に引き渡すためのＰＯＰサーバとしての機能を備えている。例えば、オペレータＰＣ１２からの送信メールをメール送信先として指定されたクライアントＰＣ４０へ送り届ける役割を果たす。
【００２５】
次に、本実施形態のモニタ選出支援システム１０の動作について説明する。まず、オペレータは、今回の評価試験に関するモニタマスタ情報を作成するために、モニタマスタ情報作成指令をオペレータＰＣ１２に入力する。すると、オペレータＰＣ１２は、モニタマスタ情報入力画面５０（図３参照）をディスプレイ１２ｅに表示する。この画面５０において、オペレータがキーボード１２ｆやマウス１２ｇを操作することにより、各入力欄５１〜５５に評価コード、評価対象製品、主催部門、担当者名、評価実施日程候補情報を入力する。その後、オペレータが「保存」ボタン５６をクリックすることにより、オペレータＰＣ１２はモニタマスタ情報入力画面に入力された内容をデータベースサーバ１３に保存する。この結果、データベースサーバ１３には、評価コードに評価対象製品、主催部門、担当者名、候補日程群（評価実施日程候補情報）が対応付けられて記憶される（図２参照）。
【００２６】
図３において、評価対象製品入力欄５２に評価対象製品を入力する操作は、その右隣のプルダウンメニューボタンをクリックして製品群をメニュー表示させその製品群の中から選択することにより行われる。また、主催部門入力欄５３に主催部門を入力する操作は、その右隣のプルダウンメニューボタンをクリックして部門群をメニュー表示させその部門群の中から選択することにより行われる。なお、評価実施日程候補情報入力欄５５に評価試験を実施する場所を入力する操作は、プルダウンメニューボタンをクリックして場所群（本社や事業所等）をメニュー表示させその場所群の中から選択するようにしてもよく、日付を入力する操作は、画面上にカレンダーを開きそのカレンダーの該当月日を選択するようにしてもよく、時間を入力する操作は、画面上に時間スケールを開きその時間スケールの該当時間を選択するようにしてもよい。
【００２７】
次に、オペレータは、別途リストアップしておいた各モニタ候補者のクライアントＰＣ４０に対して、今回の評価試験がどのような試験でいつどこで実施するかを知らせる案内メールをオペレータＰＣ１２からメールサーバ１６を介して配信する。図４は案内メールの一例を示す説明図である。この案内メール６０には、今回の評価試験に付与された評価コードを表示する評価コード表示欄６１と、モニタ協力回答用紙を提供するウェブサイトのＵＲＬを表示するＵＲＬ表示欄６２と、今回の評価試験の担当者を表示する担当者表示欄６３とが含まれている。
【００２８】
この案内メール６０を受け取ったモニタ候補者のうちモニタとして協力できる者は、この案内メール６０のＵＲＬ表示欄６２をクリックしてウェブサーバ１４から評価試験を実施する場所や日時についての希望を入力するモニタ協力回答用紙（電子書面）を受信し、そのモニタ協力回答用紙に対する回答をウェブサーバ１４に送信する。これによりウェブサーバ１４を介してデータベースサーバ１３には回答情報が蓄積されていく。その後、オペレータは、オペレータＰＣ１２を操作してデータベースサーバ１３からその回答情報を読み出し、評価試験を実施する場所や日時の調整を行うことによりモニタ候補者の中からモニタを選出し、選出した各モニタのクライアントＰＣ４０にモニタ採用メールをオペレータＰＣ１２からメールサーバ１６を介して配信する。
【００２９】
このときのクライアントＰＣ４０とウェブサーバ１４との送受信のやり取りについて、図５のデータ送受信の手順を表す説明図に基づいて以下に詳説する。モニタ候補者が案内メール６０のＵＲＬ表示欄６２をクリックすると、クライアントＰＣ４０はウェブサーバ１４にモニタ協力回答用紙の電子データを要求する（ステップＳ３１０）。これを受信したウェブサーバ１４は、モニタ協力回答用紙の電子データをクライアントＰＣ４０に送信する（ステップＳ３２０）。すると、クライアントＰＣ４０は、ディスプレイにモニタ協力回答用紙を表示する。図６はモニタ協力回答用紙の一例を表す説明図である。このモニタ協力回答用紙８０には、評価コードをプルダウンメニューから選択して入力する評価コード入力欄８１と、モニタ候補者の氏名や職場のほか上司氏名を入力する氏名等入力欄８２と、評価試験の候補日程の中から自分の希望する日程を入力する希望日程入力欄８３と、システム側で予め設定された評価試験の候補日程を一覧表示した日程一覧表示欄８４と、各入力欄に入力した内容を登録するときにクリックされる登録ボタン８５とが同一ページに表示される。このときの各欄８１、８２，８３及び日程一覧表示欄８４はいずれも空欄である。
【００３０】
このモニタ協力回答用紙８０において、モニタ候補者は評価コード入力欄８１に案内メール６０の評価コード表示欄６１に表示されていた評価コードを入力する。すると、クライアントＰＣ４０は、その評価コードをウェブサーバ１４へイントラネット２２を介して送信する（ステップＳ３３０）。その評価コードを受信したウェブサーバ１４は、評価コードに対応付けられている候補日程群をデータベースサーバ１３に要求し（ステップＳ３４０）、その後データベースサーバ１３からその候補日程群を受信し（ステップＳ３５０）、この候補日程群を加工したうえでクライアントＰＣ４０に送信する（ステップＳ３６０）。クライアントＰＣ４０に送信される候補日程群は、モニタ協力回答用紙８０の日程一覧表示欄８４に、候補日程ごとに場所と日時とを一組とし各組が一行ごとに表示されるように加工され、また、希望日程入力欄８３のうち、場所を入力する場所入力欄８３ａに設けられたプルダウンメニューボタンがクリックされると評価試験を実施する場所群がメニュー表示され、日時を入力する日時入力欄８３ｂに設けられたプルダウンメニューボタンがクリックされると場所入力欄８３ａに入力された場所に対応する候補日時群がメニュー表示されるように加工されている。
【００３１】
この候補日程群を受信したクライアントＰＣ４０は、図７（ａ）に示すように、モニタ協力回答用紙８０の日程一覧表示欄８４に全候補日程を一覧表示する。その後、モニタ候補者は、氏名等入力欄８２に自分の氏名、職場名、上司氏名などを入力すると共に、日程一覧表示欄８４に一覧表示された全候補日程のうち、自分のスケジュールに合った候補日程を第１希望から第３希望まで選び出し、それらを希望日程入力欄８３に入力する。例えば、候補日程として、「本社−２００２／１０／１５　１１：００〜１２：００」を第１希望とする場合、図７（ａ）において希望日程入力欄８３のうち第１希望の場所入力欄８３ａの右隣のプルダウンメニューボタンをクリックすると、図７（ｂ）に示すように評価試験の実施場所である場所群（「本社」と「○○事業所」）がメニュー表示されるので、そのうち「本社」を反転させてクリックする。この結果、図７（ｃ）に示すように第１希望の場所入力欄８３ａに「本社」が入力される。続いて、図７（ｃ）において第１希望の日時入力欄８３ｂの右隣のプルダウンメニューボタンをクリックすると、図８（ａ）に示すように候補日程のうち評価試験の実施場所が「本社」のものに対応した日時群がメニュー表示されるので、その中から「２００２／１０／１５　１１：００〜１２：００」を反転させてクリックする。この結果、図８（ｂ）に示すように第１希望の日時入力欄８３ｂに「２００２／１０／１５　１１：００〜１２：００」が入力される。以下、第２希望、第３希望についても同様にして入力し、その後、モニタ協力回答用紙８０の登録ボタン８５をクリックする。
【００３２】
すると、クライアントＰＣ４０は、モニタ協力回答用紙８０に入力された情報をイントラネット２２を介してウェブサーバ１４に送信する（ステップＳ３７０）。これを受信したウェブサーバ１４は、このモニタ協力回答用紙に入力された情報の登録要求をデータベースサーバ１３に送信する（ステップＳ３８０）。すると、データベースサーバ１３は、図９に示すように、このモニタ協力回答用紙に入力された情報を評価コードに対応付けて記憶する。この結果、データベースサーバ１３には、評価コードに対応付けられたモニタ協力回答用紙の情報が蓄積されていく。
【００３３】
その後、オペレータは、オペレータＰＣ１２のキーボード１２ｆ又はマウス１２ｇを操作することにより、今回の評価コードについてモニタ協力回答用紙の回答状況の確認を指令すると、オペレータＰＣ１２はデータベースサーバ１３からその評価コードに対応付けられたモニタ協力回答用紙の回答情報を読み出し、モニタ候補者の氏名に対応付けて第１希望から第３希望までの候補日時をディスプレイ１２ｅに一覧表示する。オペレータは、この一覧表示された内容を見ながら、候補日程の調整を行う。例えば第１〜第３希望のいずれかに挙がっている候補日程のうち最も多いものを今回の評価試験の実施日程として採用する。このとき、ディスプレイ１２ｅに一覧表示された内容を印刷出力して候補日程の調整を行ってもよい。
【００３４】
ここで、本実施形態の構成要素と本発明の構成要素との対応関係を明らかにする。本実施形態のモニタ選出支援システム１０のウェブサーバ１４が、本発明のデータ送信手段及びデータ受信手段に相当する。また、日時入力欄８３ｂの右隣に設けられたプルダウンメニューボタンが、日時入力欄のメニュー表示要求部に相当する。
【００３５】
以上詳述した本実施形態のモニタ選出支援システム１０では、評価試験の全候補日程を一覧表示する日程一覧表示欄８４とその中から所望の候補日程を入力する希望日程入力欄８３とを同じページに表示するモニタ協力回答用紙８０の電子データをクライアントＰＣ４０に送信するため、そのクライアントＰＣ４０を使用するモニタ候補者は同一ページ上で候補日程の一覧を見ながら所望の候補日程を容易に入力することができる。また、システム側はモニタ候補者が所望する候補日程を受信するため、評価試験の日程につきシステム側とモニタ候補者側との摺り合わせを簡易且つ迅速に行うことができる。加えて、評価コードによってどの評価試験かを容易に特定できるため、その特定された評価試験についての候補日程を一覧表示することができ、複数の評価試験の日程一覧が表示される場合に比べてモニタ候補者が別の評価試験の日程と混同するおそれがない。
【００３６】
また、日程一覧表示欄８４と希望日程入力欄８３とは隣接して設けられているため、日程一覧表示欄８４と希望日程入力欄８３とが同一ページの隣接しない位置に設けられている場合に比べて、モニタ候補者が希望日程を入力する際に日程一覧表示欄を参照にしやすい。
【００３７】
更に、評価試験の日程には、評価試験を行う場所と日時とが含まれているため、評価試験の日程に日時だけ含まれている場合に比べてシステム側とモニタ候補者側との摺り合わせが困難になるが、そのような場合にも本実施形態のモニタ選出支援システム１０を利用することにより摺り合わせを比較的容易に行うことできる。
【００３８】
更にまた、日程一覧表示欄８４には、各候補日程が評価試験の場所及び日時を一組として一行ごとに表示されているため、モニタ候補者が日程一覧表示欄８４を見たときに、一行に複数の候補日程が連なって表示される場合に比べて各候補日程を確実に見分けることができる。
【００３９】
そしてまた、モニタ候補者は日程一覧表示欄８４を見て評価試験の場所と日時の組合せのうち自分にあった組合せを見つけそのうちの場所を場所入力欄８３ａに入力したあと、その場所に応じた候補日時群をメニュー表示させて選択すれば日時入力欄８３ｂに簡単且つ間違えることなく入力することができる。
【００４０】
そして更に、希望日程入力欄８３は第１希望から第３希望まで入力可能ななため、評価試験の日程の摺り合わせにつき第１希望でうまくいかなかったとしても第２希望や第３希望でうまくいく場合があり、摺り合わせを短期間で効率よく行うことができる。
【００４１】
なお、本発明は上述した実施形態に何等限定されるものではなく、種々の形態で実施し得ることはいうまでもない。
【００４２】
例えば、上述した実施形態では、会社内で利用されるモニタ選択支援システムについて説明しモニタ候補者は社員としたが、インターネットのような公衆が利用可能なネットワークを利用したモニタ選択支援システムとしてもよく、この場合、モニタ候補者を一般公衆としてもよい。
【００４３】
また、上述した実施形態において、モニタ協力回答用紙８０の氏名等入力欄８２に氏名コードを入力する欄を設け、モニタ候補者や上司の氏名及び職場と氏名コードとを対応付けたデータベースをデータベースサーバ１３に記憶させておき、氏名コードが入力されたときクライアントＰＣ４０からウェブサーバ１４を介してデータベースサーバ１３がその氏名コードに対応する氏名及び職場を読み出してクライアントＰＣ４０へ返信し、クライアントＰＣ４０がその氏名及び職場を氏名等入力欄８２に自動的に入力して表示してもよい。
【００４４】
更に、上述した実施形態では、モニタ選出支援システム１０を複数台のコンピュータにより構成したが、１台のコンピュータ（サーバ）により構成してもよい。
【図面の簡単な説明】
【図１】本実施形態のモニタ選出支援システムの概略構成図である。
【図２】評価試験一覧テーブルである。
【図３】モニタマスタ情報入力画面の一例を表す説明図である。
【図４】案内メールの一例を表す説明図である。
【図５】データの送受信の手順を表す説明図である。
【図６】モニタ協力回答用紙の一例を表す説明図である。
【図７】希望日程入力欄に入力する様子を表す説明図である。
【図８】希望日程入力欄に入力する様子を表す説明図である。
【図９】評価コードとモニタ協力回答情報の対応テーブルである。
【符号の説明】
１０　モニタ選出支援システム、１２　オペレータＰＣ、１３　データベースサーバ、１４　ウェブサーバ、１６　メールサーバ、２０　ネットワークケーブル、２２　イントラネット、４０　クライアントＰＣ、５０　モニタマスタ情報入力画面、５１　各入力欄、５２　評価対象製品入力欄、５３　主催部門入力欄、５４　担当者入力欄、５５　評価実施日程候補情報入力欄、５６　保存ボタン、６０　案内メール、６１　評価コード表示欄、６２　ＵＲＬ表示欄、６３　担当者表示欄、８０　モニタ協力回答用紙、８１　評価コード入力欄、８２　氏名等入力欄、８３　希望日程入力欄、８３ａ　場所入力欄、８３ｂ　日時入力欄、８４　日程一覧表示欄、８５　登録ボタン。
【図１】
2004145803.tif 000003
【図２】
2004145803.tif 000004
【図３】
2004145803.tif 000005
【図４】
2004145803.tif 000006
【図５】
2004145803.tif 000007
【図６】
2004145803.tif 000008
【図７】
2004145803.tif 000009
【図８】
2004145803.tif 000010
【図９】
2004145803.tif 000011